(57)【特許請求の範囲】
【請求項１】
所定の情報と当該情報を送信する相手先を記憶する記憶手段と、当該記憶手段に記憶されている前記情報を送信する送信手段と、入力手段と、
当該入力手段による特定の入力操作を禁止するキーロック状態が所定時間以上継続すると、前記送信手段が、前記記憶手段に記憶されている前記情報を送信することを特徴とする通信装置。
【請求項２】
前記送信手段が、前記記憶手段に記憶されている前記情報を送信した後に、送 
信した前記情報を前記記憶手段から削除することを特徴とする請求項１に記載の通信装置。
【発明の詳細な説明】
【技術分野】
【０００１】
本発明は、予め登録された所定の情報を指定先に送信可能な通信装置に関する。
【背景技術】
【０００２】
ユーザは、利便性の観点から、友人や身内などの電話番号あるいは電子メールアドレスなどの個人情報を携帯電話装置に登録していることが多々ある。また、ユーザにとって特に重要な情報の内容を忘れないようにするために、ユーザが予め携帯電話装置にその重要な情報の内容を登録しておく場合もある。
【発明の開示】
【発明が解決しようとする課題】
【０００３】
ところで、このように個人情報が登録されている携帯電話装置を紛失したり、盗難されたりすると、この携帯電話装置を手にした第三者に個人情報を知られるおそれがあり、セキュリティの観点から問題が生じる。また、携帯電話装置を紛失したり、盗難されたりすると、ユーザにとって重要な情報の内容を確認することができず、そのまま忘れてしまう恐れがある。
【０００４】
そこで、本発明は、上記事情を考慮し、キーロック状態が所定時間以上継続した場合に、予め登録された情報を所定の指定先に自動的に送信することができる携帯電話装置及び登録内容自動送信方法を提供することを目的とする。
【課題を解決するための手段】
【０００５】
請求項１に記載の発明は、所定の情報と当該情報を送信する相手先を記憶する記憶手段と、当該記憶手段に記憶されている前記情報を送信する送信手段と、入力手段と、当該入力手段による特定の入力操作を禁止するキーロック状態が所定時間以上継続すると、前記送信手段が、前記記憶手段に記憶されている前記情報を送信することを特徴とする。
【０００６】
請求項２に記載の発明は、請求項１に記載の通信装置であり、前記送信手段が、前記記憶手段に記憶されている前記情報を送信した後に、送信した前記情報を前記記憶手段から削除することを特徴とする。
【発明の効果】
【００１３】
本発明によれば、キーロック状態が所定時間以上継続した場合に、予め登録された情報を所定の指定先に自動的に送信することができる。
【発明を実施するための最良の形態】
【００１４】
次に、本発明の一実施形態に係る携帯電話装置について、図面を参照して説明する。
【００１５】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１６】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１７】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１８】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１９】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２０】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２１】
また、携帯電話装置１０は、ＧＰＳアンテナ５６と接続されたＧＰＳ通信部５８を備えている。ＧＰＳ通信部５８は、ＧＰＳアンテナ５６がとらえた現在位置情報の電波を電気信号に変換処理して制御回路３６に出力する。なお、制御回路３６に出力された携帯電話装置１０の現在位置情報は、ＲＡＭ４０に記憶される。
【００２２】
また、通信部１２、ベースバンド部１４、切替回路２２及びＧＰＳ受信部５８には、制御回路３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。また、制御回路３６にはタイマが内蔵されており、このタイマでカウントすることにより、後述のように入力部４４等からの文字等の入力が不可能となるキーロック状態が所定時間以上継続しているか否かを制御回路３６により判断する。
【００２３】
ここで、ＲＡＭ４０には、所定の情報が記憶されている。具体的には、電話帳に登録されている友人・身内等の氏名及び電話番号、受信した電子メールの内容及び送信した電子メールの内容、ＧＰＳアンテナ５６を介してＧＰＳ受信部５８で受信した携帯電話装置１０の現在位置情報などの文字情報が挙げられる。
【００２４】
また、ＲＡＭ４０には、上記情報を送信するための指定先が記憶されている。具体的には、自宅のパソコンの電子メールアドレスや別の携帯電話装置の電子メールアドレスが挙げられる。
【００２５】
さらに、ＲＡＭ４０には、後述の入力部４４による入力を不可能とし、あるいはこの不可能を解除して入力部４４による入力を可能とするためのロックナンバーが記憶されている。このため、入力部４４（例えば、テンキー４８）によりロックナンバーが入力されると、制御回路３６が作動して入力部４４による入力が不可能となるキーロック状態とされ、このキーロック状態で前記ロックナンバーを入力すると制御回路３６が作動してキーロック状態が解除され、入力部４４による入力が可能となるようになっている。
【００２６】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、を有している。
【００２７】
また、制御回路３６には、所定の色のＬＥＤ素子を備えた照明部４６が接続されている。照明部４６のＬＥＤ素子の発光により、ディスプレイ４２が所定の色に施される。
【００２８】
次に、本実施形態に係る携帯電話装置１０を用いた登録内容自動送信方法について、図２に示すフローチャートに基づいて説明する。
【００２９】
図２に示すように、先ず、制御回路３６によりキーロック状態か否かが判断される（ステップ１００）。制御回路３６によりキーロック状態と判断されると、制御回路３６に内蔵されているタイマが作動し、カウントを開始する（例えば５時間カウントする）（ステップ１２０）。次に、入力部４４によるキー操作の有無が制御回路３６により判断される（ステップ１４０）。入力部４４によるキー操作が有ると制御回路３６により判断されると、制御回路３６によりロックナンバーが入力されたか否かが判断される（ステップ１６０）。制御回路３６によりロックナンバーが入力されたと判断されると、キーロック状態が解除される（ステップ１８０）。これにより、入力部４４による入力が可能となる。また、キーロック状態が解除されると、制御回路３６に内蔵されているタイマが停止する（ステップ２００）。なお、制御回路３６によりロックナンバーが入力されていないと判断されると、ディスプレイ４２が制御回路３６により制御され、ディスプレイ４２に「キーロック中」と表示される（ステップ２２０）。
【００３０】
一方、入力部４４によるキー操作が無いと制御回路３６により判断されると、キーロック状態が所定時間以上継続しているか否かが制御回路３６により判断される（ステップ２４０）。キーロック状態が所定時間以上継続していると制御回路３６により判断されると、ＲＡＭ４０に記憶されている所定の情報がＲＡＭ４０に記憶されている指定先に送信される（ステップ２６０）。なお、キーロック状態が所定時間以上継続していないと制御回路３６により判断されると、ステップ１４０の前の状態に戻る。さらに、ＲＡＭ４０に記憶されている所定の情報がＲＡＭ４０に記憶されている指定先に送信された後、ＲＡＭ４０に記憶されている所定の情報や指定先が制御回路３６によってＲＡＭ４０から削除される。
【００３１】
以上のように、ＲＡＭ４０にはユーザによって予め所定の情報及び情報を送信する指定先がそれぞれ記憶されており、入力部４４による入力を不可能とするキーロック状態が所定時間以上継続したと制御回路３６が判断したときに、ＲＡＭ４０に記憶された情報が制御回路３６により指定先に送信される。これにより、たとえ携帯電話装置１０を紛失したりあるいは盗難されたりしても、予めＲＡＭ４０に記憶された所定の情報が指定先に自動的に送信されるため、ユーザは指定先に送信された情報の内容を確認することができる。この結果、ユーザが重要な情報を忘れてしまうことを防止できる。
【００３２】
特に、所定の情報が指定先に送信された後、ＲＡＭ４０に記憶されている所定の情報が制御回路３６により削除されるため、たとえ携帯電話装置１０がユーザ以外の第三者の手に渡ったとしても、個人情報等の情報を第三者に知られることがない。これにより、セキュリティ性能を格段に向上させることができる。
【００３３】
また、所定の情報の一部として、携帯電話装置１０の現在位置情報を送信することにより、携帯電話装置１０の現在位置も容易に把握することができ、紛失あるいは盗難された携帯電話装置１０を容易に発見することができる。
【００３４】
なお、指定先に送信される情報は文字情報に限られるものではなく、例えば、ＲＡＭ４０に記憶された伝言メッセージを送信することができる。すなわち、キーロック状態が所定時間以上継続していると制御回路３６により判断されると、携帯電話装置１０が自動的に予めＲＡＭ４０に記憶された他の電話装置の電話番号に発呼し、通信状態が開始した後、所定の時間経過後（例えば、通信相手の電話に設定されている留守録のあいさつが終了する時間経過後）に、他の携帯電話装置などからアンテナ１６、通信部１２を介してＲＡＭ４０に記憶された伝言メッセージ（音声情報）を通信部１２及びアンテナ１６を介して送信しても良い。これにより、送信された伝言メッセージを通信相手となる電話装置に留守録に録音させることができ、ユーザはその留守録を聞くことにより、携帯電話装置１０を紛失等した場合でも、伝言メッセージを容易に知ることができる。
【図面の簡単な説明】
【００３５】
【図１】本発明の一実施形態に係る携帯電話装置のブロック図である。
【図２】本発明の一実施形態に係る携帯電話装置の作用を示すフローチャートである。
【符号の説明】
【００３６】
１０      携帯電話装置
３６      制御回路（制御手段）
４０      ＲＡＭ（記憶手段）
４４      入力部
【図１】
0004350023.tif 000002
【図２】
0004350023.tif 000003